(57)【要約】      （修正有）【課題】特にパターヘッドの打撃フェースより前方にオフセットされた仮想打撃フェースが設定されたゴルフパターに関する。【解決手段】ゴルフパターは前面に打撃フェースと後面にトウ部分とヒール部分とから構成されたパターヘッドと、上記パターヘッド上に設置構成されるホゼルと、上端側にグリップが形成されるシャフトと、上記シャフトの下端側を收容するように上記ホゼル上に形成されるシャフト收容部と、上方から下方をみる時上記打撃フェースを隠し、上記打撃フェースより前方側にオフセットされた位置に仮想打撃フェースを有する仮想打撃位置決定プレートを含んで構成される。【選択図】図１
2004358246.tif 000002
【特許請求の範囲】
【請求項１】
ゴルフ玉を打撃する打撃フェースと後面に両側にウェートバランスを与えるようにしたトウ部分とヒール部分とから構成されるパターヘッド;
上記パターヘッド上に設置構成されるホゼル;
上端側にグリップが形成されるシャフト;上記シャフトの下端側を收容するように上記ホゼル上に形成されるシャフト收容部;
上方向から下方向に見るとき上記打撃フェースを隠し、上記打撃フェースより前方側にオフセットされた位置に仮想打撃フェースを有する仮想打撃位置決定プレートを含んでなされることを特徴とするゴルフパター。
【請求項２】
第1項において、上記シャフト收容部は上記ホゼルより前方にオフセットされた位置に配置されることを特徴とするゴルフパター。
【請求項３】
第1項又は第2項において、上記仮想打撃位置決定プレートの一側は上記パターヘッド上に一体に結合され、上記仮想打撃位置決定プレートの他側は上記仮想打撃フェースを形成することを特徴とするゴルフパター。
【請求項４】
第1項又は第2項において、上記仮想打撃位置決定プレートの一側は上記パターヘッド上に締結要素により結合され、上記仮想打撃位置決定プレートの他側は上記仮想打撃フェースを形成することを特徴とするゴルフパター。
【発明の詳細な説明】
【技術分野】
【０００１】
【背景技術】
【０００２】
本発明はゴルフパターに関するもので、特にパターヘッドの打撃フェースより前方にオフセットされた仮想打撃フェースが設定されたゴルフパターに関するものである。従来のゴルフパターは図1を參照として説明すれば、大概パターヘッド、ホゼル、シャフト、シャフト收容部から構成される。パターヘッドには前面にゴルフ玉を実際に打撃する打撃フェースが形成され、後面に両側にウェートバランスを与えるヒール部分とトウ部分ガ形成されている。ホゼルは上記パターヘッド上に設置され、その上端にはシャフトが收容されるシャフト收容部がある。
このような構成を有するゴルフパターでパッティングする際、ゴルファーは打撃フェースを設定した後、スイングを通じてゴルフ玉を打つと、設定された打撃フェースの位置でゴルフ玉を打撃することになる。設定打撃フェースと実際打撃フェースが同じ位置でなされることで、打撃する力の作用点がゴルフ玉の後部分に位置することになり、その結果ゴルフ玉を後から押しながら打撃することになる。後から押す打撃はゴルフ玉に逆スピンを与えやすいので、ゴルフ玉打球方向の直進性が欠かれてパッティング成功率が低くなるとの問題があった。
【発明の開示】
【発明が解決しようとする課題】
【０００３】
本発明は前述した問題を解決するため案出されたもので、簡単な構成であるにも関わらずゴルフ玉を前で引いていく打撃ができる構造を有するゴルフパターを提供するにその目的がある。
【発明の効果】
【０００４】
前述した目的を達成するための本発明のゴルフパターはゴルフ玉を打撃する打撃フェースと後面に両側にウェートバランスを与えるようにしたトウ部分と、ヒール部分とから構成されるパターヘッド;上記パターヘッド上に設置構成されるホゼル;上端側にグリップが形成されるシャフト;上記シャフトの下端側を收容するように上記ホゼル上に形成されるシャフト收容部;上方から下方を見るとき上記打撃フェースを隠し、上記打撃フェースより前方側にオフセットされた位置に仮想打撃フェースを有する仮想打撃位置決定プレートを含むことを特徴とする。
この構成により仮想打撃フェースがゴルフ玉を通した後実際に打撃が為されることでゴルフ玉を前から引いて行ってトップスピンを多く与える。
前述した構成で上記シャフト收容部は上記ホゼルより前方にオフセットされた位置に配置されることが望ましい。
上記仮想打撃位置決定プレートの一側は上記パターヘッド上に一体に結合され、上記仮想打撃位置決定プレートの他側は上記仮想打撃フェースを形成するように具現することが望ましい。
一方、上記仮想打撃位置決定プレートの一側は上記パターヘッド上に締結要素により結合され、上記仮想打撃位置決定プレートの他側は上記仮想打撃フェースを形成するように具現するものが、既存のゴルフパターに適用するに容易である。
以下、本発明の好ましい実施例を添付した図面を參照して詳細に説明する。
図1は本発明の好ましい実施例によるゴルフパターを示した斜視図であり、図2は図1の側面図であり、図3は図1の正面図である。
図1ないし図3に示したように、本実施例のゴルフパターは前述したパターヘッド(10)、パターヘッド(10)上に設置されるホゼル(30)、シャフト(50)、ホゼル(30)上に設置されるシャフト收容部(70)及びパターヘッド(10)上に設置される仮想打撃位置決定プレート(90)とから構成されている。
パターヘッド(10)の前面にはゴルフ玉を実際に打撃する打撃フェース(11)が形成されていて、パターヘッド(10)の後面には慣性モメントを増加させるようにトウ-ヒールバランス原理を採択したトウ部分(13)とヒール部分(15)が形成されている。
上記ホゼル(30)はヒール部分(15)に隣接した部分で上方に延長されている。また、ホゼル(30)の上端にはシャフト(50)が收容結合されるシャフト收容部(70)が設置されている。
仮想打撃位置決定プレート(90)は図3及び図4に示したように上方突出プレート(90a)と前方突出プレート(90b)に折り曲げ形成された折り曲げプレートとから構成されることが望ましい。即ち、上方突出プレート(90a)の下端側がパターヘッド(10)に、望ましくは打撃フェース(11)の後面に一体に結合され、前方突出プレート(90b)の自由端には仮想打撃フェース(91)が形成される。
この折り曲げられた構成によりゴルファー(golfer)が見下ろしたとき前方突出プレート(90b)がパターヘッド(10)の前面を隠すことになり、打撃フェース(11)が見えなくなる。この際、打撃フェース(11)を全部隠すため仮想打撃位置決定プレート(90)にはホゼル(30)が收容される收容部(92)が形成されることが望ましい。
また、打撃フェース(11)と仮想打撃フェース(91)との間の距離はゴルフ玉の半分またはその以上覆う程が望ましい。
このような構成により、ゴルファーはゴルフ玉の打撃ポイントを仮想打撃フェース(91)で設定することになる。この仮想打撃フェース(91)は打撃フェース(11)から前方にオフセットされたものである。したがって、ゴルファーは打撃フェース(11)を見なく仮想打撃フェース(91)を見て打撃するので、打撃フェース(91)にゴルフ玉が打撃される時点は仮想打撃フェース(91)が通した後になる。その結果、打撃フェース(11)はゴルフ玉の中心前方になり必然的にゴルフ玉を前で引いていくことになり、ゴルフ玉にトップスピンが自然にかかり直進性が向上される。これはグリーンの周りで短い距離のためランニングアプローチ時、直進性とトップスピンを誘導するため打撃しようとする力の作用点である手がゴルフ玉より極端的に前へ行くハンドファスト姿勢を取らなければならない原理と同様である。
上記仮想打撃位置決定プレート(90)はパターヘッド(10)上に鑄造などで一体に成形されている。勿論、溶接を行って一体に具現されることもできる。
他方、ホゼル(30)を2重に折り曲げて、図2に示したようにシャフト收容部(70)の長さ方向が仮想打撃フェース(91)線上に位置するように配置することが望ましい。これは、ゴルファーの視線集中を仮想打撃フェース(91)に置くようにすることでもあるが、ゴルファーのウェート中心をゴルフ玉より前方に置くようにするためである。したがって、ゴルフ玉を前へ引いていく效果を倍加させることができる。
また、シャフト收容部(70)が配置されたホゼルがゴルファーが立っている方にやや10度程傾くことが望ましい。
以上のように、仮想打撃位置決定プレート(90)をパターヘッド(10)と一体に制作することができるが、従来のパターヘッドに簡単に締結して練習用にも使用できることは明らかである。仮想打撃位置決定プレート(90)が分離可能に具現されたものが図4に示されている。
図4に示したように、仮想打撃位置決定プレート(90)は上方突出プレート(90a)と前方突出プレート(90b)及び締結要素とから構成されている。上記締結要素はパターヘッド(10)と仮想打撃位置決定プレート(90)が一体型に構成されることもでき、図4で示したようにスクリュー、磁石、接着剤等が採択されることができ、またスクリューにより締結されることができる。
このスクリュー(93)で締結するため、上方突出プレート(90a)には締結孔(95)が穿孔設置されている。この際、この締結孔(95)と対応されるパターヘッド(10)に雌ネジ部(97)が形成されていることが望ましい。
本発明の実施例によるゴルフパターは前述した実施例に限らず、本発明の技術思想が許す範囲内で多様に変更実施が可能である。
【発明の效果】
【０００５】
以上で説明したように本発明の実施例によるゴルフパターによれば次のような效果がある。
第一、見下ろした時上記打撃フェースを隠し、上記打撃フェースより前方側にオフセットされた位置に仮想打撃フェースを有する仮想打撃位置決定プレートがパターヘッド上に設置されることで、仮想打撃フェースでオフセットされた距離程過ぎて打撃フェースにゴルフ玉が打撃され実際打撃点はゴルフ玉の前で引いていくためゴルフ玉にトップスピンが多くかかり、打球方向の直進性を向上させることができ、パッティング成功率を上げることができ、特に打撃フェースが隠されていてゴルファーの視線集中を仮想打撃フェースに置くことができてパッティング成功率を画期的に上げることができる。
第二、シャフト收容部がホゼルより前方にオフセットされた位置に配置されることで、シャフトの長さ方向が仮想打撃フェース線上に位置してゴルファーの視線を仮想打撃フェースにさらに集中させることができ、ゴルファーのウェート中心をゴルフ玉より前方に置くことにしてゴルフ玉を前へ引いていく效果を倍加させることができる。
第三、上記仮想打撃位置決定プレートの一側は上記パターヘッド上に一体に結合され、上記仮想打撃位置決定プレートの他側は上記仮想打撃フェースを形成させるように製造することが簡便である。
第四、上記仮想打撃位置決定プレートの一側は上記パターヘッド上に締結要素により結合され、上記仮想打撃位置決定プレートの他側は上記仮想打撃フェースを形成させることで、パッティングの練習をする時簡単に適用して使用することができ、従来のいずれのパターヘッドにも適用することができる汎用性を有する。
【図面の簡単な説明】
【０００６】
【図１】本発明の好ましい実施例によるゴルフパターを示した斜視図。
【図２】図１の側面図。
【図３】図１の正面図。
【図４】本発明の好ましい他の実施例によるゴルフパターを示した分離斜視図。
【符号の説明】
【０００７】
10パターヘッド
11実際打撃フェース
13ヒール
15トウ
30ホゼル
50シャフト
70シャフト收容部
90仮想打撃位置決定プレート
90a上方突出プレート
90b前方突出プレート
91仮想打撃フェース
93スクリュー
95締結孔
97雌ネジ部
【図１】
2004358246.tif 000003
【図２】
2004358246.tif 000004
【図３】
2004358246.tif 000005
【図４】
2004358246.tif 000006